(57)【要約】【課題】外形寸法が異なる２本並列配置であるが、電気的には直列接続である多種の電池（短３電池２本並列配置、短４電池２本並列の配置、電池パック等の異種規格の電池等）を択一的に同一ケースに装着できる電池ケースを提供する。【解決手段】  電池の長手軸方向から出し入れ可能に開放可能な蓋３と、有底状の電池ケース本体２と、該蓋３から弾性体９を介して接続される電極であって前記電池を押し付けるように配した中間電極８と、底４に固定される電池ケースのプラス電極６とマイナス電極７と、電池の筒を両側から挟み込むように配した２部材であって、それぞれ前記電池ケースの内壁に設置された弾性部材１０，１１を介して、電池の筒を両側から押し付けるように設置された筒固定部材５を設置する。  電極６、電極７は、前記底の中心点とそれぞれ電極６、電極７を結ぶ線の方向に長手に形成し、互いに電極６と電極７が接しない位置に配置する。【選択図】図１
2006196344.tif 000002
【特許請求の範囲】
【請求項１】
円筒状の電池２本分が並列に入る形状の中空状の電池ケースであって、
電池の長手軸方向から出し入れ可能に開放可能な蓋と、
有底状の箱体と、
該蓋から弾性体を介して接続される電極であって、前記電池を押し付けるように配した中間電極と、
電池の軸方向であって蓋と反対側に配設された底に固定されるプラス電極とマイナス電極と、
電池の筒を両側から挟み込むように配した２部材であって、それぞれ、前記電池ケースの内壁に設置された弾性部材を介して、電池の筒を両側から押し付けるように設置された筒固定部材からなり、
前記マイナス電極は、前記底の中心点と前記マイナス電極を結ぶ線の方向に長手に設置されるとともに、前記プラス電極と互いに接しない位置に配設され、
前記プラス電極は、前記底の中心点と前記マイナス電極を結ぶ線をはさんで線対称となる位置に、２枚長手に設置されており、それぞれの電極部材は、前記底から外側にテーパ状に屈曲して形成され、
各電極の長さは外形の異なる複数種類の電池がそれぞれ装着された状態で、該電池の電極が前記プラス電極又は前記マイナス電極に接触する長さに設定され、
前記筒固定部材は、その蓋側の筒の先端が、電池が入る位置に対して、外側にテーパ状に屈曲して形成されていることを特徴とする中空状の電池ケース。
【請求項２】
円筒状の電池２本分が並列に入る形状の中空状の電池ケースであって、
電池の長手軸方向から出し入れ可能に開放可能な蓋と、
有底状の箱体と、
該蓋から弾性体を介して接続される電極であって、前記電池を押し付けるように配した中間電極と、
電池の軸方向であって蓋と反対側に配設された底に固定されるプラス電極とマイナス電極と、
電池の筒を両側から挟み込むように配した２部材であって、それぞれ、前記電池ケースの内壁に設置された弾性部材を介して、電池の筒を両側から押し付けるように設置された筒固定部材からなり、
前記プラス電極と前記マイナス電極は、前記底の中心点とそれぞれ前記プラス電極、前記マイナス電極を結ぶ線の方向にそれぞれ長手に設置されるとともに、それらが互いに接しない位置に配設され、さらに、各電極の長さは外形の異なる複数種類の電池がそれぞれ装着された状態で、該電池の電極が前記プラス電極又は前記マイナス電極に接触する長さに設定されていることを特徴とする中空状の電池ケース。
【請求項３】
前記プラス電極は、電池の軸方向であって蓋と反対側に配設された底の中心点と前記マイナス電極を結ぶ線をはさんで線対称となる位置に、２枚長手に設置されており、前記底から外側にテーパ状に屈曲して形成されていることを特徴とする請求項２の電池ケース。
【請求項４】
前記筒固定部材のそれぞれは、その蓋側の筒の先端が、電池が入る位置に対して、外側にテーパ状に屈曲して形成されていることを特徴とする請求項２の電池ケース。
【発明の詳細な説明】
【技術分野】
【０００１】
本発明は、電池ケースに関わり、専用容器を必要とすることなく、外形寸法が異なる２本並列配置の多種の電池を択一的に同一ケースに装着することに関する。
【背景技術】
【０００２】
電池ケースについて、専用容器を必要とすることなく、種々の異種規格の電池を装着する方法は、種々提案されている（例えば、特許文献１〜４参照。）。
【０００３】
しかし、従来２本並列配置の電池に対応できるものの、電池の側面を片側から押さえているので（例えば、特許文献１、図１０の符号１０７，１０８参照。）、電池の直径が大幅に異なる電池には対応できない難点があった。また、１本の電池のみに対応するものもある（例えば、特許文献２〜４参照。）。
【特許文献１】特開平０４−２８２５５５号広報
【特許文献２】特開２００４−１７２０２２広報
【特許文献３】特開２００４−１７２０２３広報
【特許文献４】特開平０８−００７８６１号広報
【発明の開示】
【発明が解決しようとする課題】
【０００４】
本発明は、電池ケースに関わり、外形寸法が異なる２本並列配置であるが、電気的には直列接続であって、外形サイズが異なる多種の電池（例えば、短３電池２本並列配置、短４電池２本並列の配置、電池パック等の異種規格の電池）を択一的に同一ケースに格納することを目的とする。
【課題を解決するための手段】
【０００５】
本発明は、前記課題を解決するために以下の構成を備えている。
【０００６】
（１）円筒状の電池２本分が並列に入る形状の中空状の電池ケースであって、
電池の長手軸方向から出し入れ可能に開放可能な蓋と、
有底状の箱体と、
該蓋から弾性体を介して接続される電極であって、前記電池を押し付けるように配した中間電極と、
電池の軸方向であって蓋と反対側に配設された底に固定されるプラス電極とマイナス電極と、
電池の筒を両側から挟み込むように配した２部材であって、それぞれ、前記電池ケースの内壁に設置された弾性部材を介して、電池の筒を両側から押し付けるように設置された筒固定部材からなり、
前記プラス電極と前記マイナス電極は、前記底の中心点とそれぞれ前記プラス電極、前記マイナス電極を結ぶ線の方向にそれぞれ長手に設置されるとともに、それらが互いに接しない位置に配設され、さらに、各電極の長さは外形の異なる複数種類の電池がそれぞれ装着された状態で、該電池の電極が前記プラス電極又は前記マイナス電極に接触する長さに設定されていることを特徴とする中空状の電池ケースであることを特徴とする。
【０００７】
なお、前記円筒状の電池２本分が並列に入る形状において、「前記円筒状の電池２本分が並列に入る」とは形状を特定するためであり、電池パックのような外形上円筒状ではないものを排除する趣旨ではない。
【０００８】
このように構成すれば、前記中間電極が、電池長手方向に押し付けるので、電池が長手方向に異種間であっても、択一的に電池を装着可能であり、ガタ付きを抑えることができる。また、筒固定部材が電池の筒を両側から挟み込み、押し付けるように配置しているので、電池の筒が半径方向に異種間であっても、択一的に電池を装着可能である。
【０００９】
また、電池半径方向から装着する構造であれば、電池が筒状になっていることに起因して、装着後電池が飛び出るようなことがありうるが、本発明の構造では、筒固定部材が電池の筒を両側から挟み込む構造であって、電池長手方向から電池を挿入するので、装着後電池が飛び出るようなことようなことはない。
【００１０】
さらに、前記プラス電極と前記マイナス電極が長手に成型されているので、電池の筒が半径方向に異種間であって、電池のプラス電極、マイナス電極の位置が異なっても電極の接続が外れることはない。
【００１１】
なお、中間電極は、円筒形状の電池２本を装着する場合、２本の電池を電気的に直列に接続するものとして作用し、電気的に直列接続の電池のケースとして使用可能である。さらに、前記プラス電極と前記マイナス電極のみが配置された電池パックであっても、中間電極は、単なる支えとして機能するから、前記プラス電極と前記マイナス電極から、電気を電気機器に供給できる。
【００１２】
（２）前記プラス電極は、電池の軸方向であって蓋と反対側に配設された底の中心点と前記マイナス電極を結ぶ線をはさんで線対称となる位置に、２枚長手に設置されており、前記底から外側にテーパ状に屈曲して形成されていることを特徴とする。
【００１３】
このように構成すれば、電池の直径が異なる規格であって直径方向に変動することがあっても、前記長手に設置されているので、電池のプラス電極の接続が外れることはない。さらに、プラス電極に関しては、プラス電極の円柱形上が異種間であっても、プラス電極の形状がテーパ形状になっているからいずれかの位置に接することができ、電池のプラス電極を挟み込むように固定可能である。
【００１４】
（３）前記筒固定部材のそれぞれは、その蓋側の筒の先端が、電池が入る位置に対して、外側にテーパ状に屈曲して形成されていることを特徴とする。
【００１５】
このように構成すれば、蓋を開けたとき、当該テーパ状の部材に沿って、電池を滑り込ませることで、容易に筒固定部材に電池を装着できる。
【発明の効果】
【００１６】
前記中間電極が、電池長手方向に押し付けるので、電池が長手方向に異種間であっても、択一的に電池を装着可能である。また、筒固定部材が電池の筒を両側から挟み込み、押し付けるように配置しているので、電池の筒が半径方向に異種間であっても、択一的に電池を装着可能である。
【発明を実施するための最良の形態】
【００１７】
第１の実施態様に係る電池ケースの変則断面図を図１に示す。紙面上方にも、断面１５上面を基準として本図と対称に筒固定部材５、電池ケース本体２が構成されている。ただし、蓋３、弾性部材９，１０，１１、中間電極８、電池ケースのプラス電極６、電池ケースのマイナス電極７は、図面に表されている形状そのものであり、電気機器１２は、必ずしも前記対称ではない。
【００１８】
本実施態様は、以下の通り構成されている。すなわち、電池１（図３，図４参照。）の長手軸方向から出し入れ可能に開放可能な蓋３と、有底状の電池ケース本体２と、該蓋３から弾性体９を介して接続される電極であって、前記電池１を押し付けるように配した中間電極８と、電池１の軸方向であって蓋３と反対側に設置された底４に固定される電池ケースのプラス電極６と電池ケースのマイナス電極７と、電池の筒を両側から挟み込むように配した２部材であって、それぞれ、前記電池ケースの内壁に設置された弾性部材１０，１１を介して、電池の筒を両側から押し付けるように設置された筒固定部材５を設置する。
【００１９】
また、前記底の中心点１４とそれぞれ電池ケースのプラス電極６、電池ケースのマイナス電極７を結ぶ線の方向に長手に設置され、電池ケースのプラス電極６と電池ケースのマイナス電極７は、底の中心点１４とそれぞれプラス電極６、前記マイナス電極７を結ぶ線の方向にそれぞれ長手に設置されるとともに、それらが互いに接しない位置に配設し、さらに、各電極の長さは外形の異なる複数種類の電池がそれぞれ装着された状態で、電池１の電極が電池ケースのプラス電極６又は電池ケースのマイナス電極７に接触する長さに設定する。
【００２０】
弾性部材９，１０，１１は例えば、スプリングとして構成すれば、伸縮自在であって、異種間の電池に対応しやすい。電池ケースのプラス電極６、電池ケースのマイナス電極７は、底４の中心点１４から、長手方向に形成されているので、電池１、電池パック１３（図５，図６参照。）の半径方向の差異にも対応できる。電池１を装着した場合、電池ケースのプラス電極６、電池ケースのマイナス電極７を通して電気機器１２に電気を供給する。本実施態様では、円筒形状の電池２本を装着する場合、直列接続として機能し、前記中間電極は、中間電位のプラス電極とマイナス電極共通の接点となる。
【００２１】
図２は電池ケースの蓋３を外した状態を表す変則断面図である。断面の表示方法は図１と同様である。２本の円筒形の電池を電池ケース本体２に装着するときは、図２に示すとおり、蓋３を電池１の軸方向に開けて、２本の電池１を挿入する。その際、２本目の電池１を入れるときは、２本の電池１の電極が互いに逆になるように留意して、筒固定部材５を開けるように押し付けながら、電池１を挿入する。最後に、電池１に中間電極８をあてがい、電池１に押し付けるようにして、蓋３を閉める。
【００２２】
図３，図４は２本の円筒形の電池１を装着した電池ケースを表す変則断面図である。断面の表示方法は図１と同様であるが、電池１は図面に表されている形状そのものである。図３，図４に示すとおり、いずれの場合も筒固定部材５が両側から電池を押し付けて固定しているので、２本の太くて長い電池１も、２本の細くて短い電池１を装着することも可能である。
【００２３】
図５，図６は電池パック１３を装着した電池ケースを表す変則断面図である。断面の表示方法は図１と同様であるが、電池パック１３は図面に表されている形状そのものである。本実施態様によればこのような、電池パック１３であっても、同様に、電池ケースに装着することができる。
【００２４】
電池パック１３を装着するときは、図２の通り蓋３を開け、電池パック１３のプラス電極、電池パック１３のマイナス電極をそれぞれ電池ケースのプラス電極６、電池ケースのマイナス電極７に当たるよう挿入し、蓋３を閉める。装着の仕方のその他の点は、円筒形の電池１と同様である。このように装着すれば、電池パック１３は電極と反対側の円柱端は、もともと電気が供給されることはない構造になっているから、中間電極８は支えとしてのみ機能し、電池ケースのプラス電極６、電池ケースのマイナス電極７から、電気を電気機器１２に供給できる。
【００２５】
第２の実施態様に係る電極配置図を図７に示す。中央の図が、電池ケースの内側であって底４の電極６，７が正面から見える位置から見た図である。Ａ−Ａ断面は電池ケースのプラス電極６の断面形状を表している。Ｂ−Ｂ断面は電池ケースのマイナス電極７の断面形状を表している。このように、電池ケースのプラス電極６は電池ケースのマイナス電極７と中心点１４とを結ぶ線を中心として線対称に２枚長手に設置されているから、電池１あるいは電池パック１３の直径が異なる規格であって、直径方向に変動することがあっても、電池のプラス電極の接続が外れることはない。電池ケースのプラス電極６に関しては、電池のプラス電極の円柱形上が異種間であっても、テーパ形状のプラス電極６のいずれかの位置に接するから、電池１あるいは電池パック１３のプラス電極を挟み込むように固定可能である。
【００２６】
第３の実施態様に係る電池ケースの筒固定部材を図８，図９に示す。図８において、２点鎖線部は、第１の実施例にかかる電池ケースと同じであり、断面の図示方法も図１と同様である。テーパ部材１６は、筒固定部材５と同様、断面１５に関して対称である。図９は紙面上方であって、前記断面１５に垂直な方向の視点から、見下ろした平面図である。筒固定部材５は、その蓋側の筒の先端が電池１が入る位置に対して外側に屈曲形成され、この屈曲部にテーパ部材１６が形成されている。このように筒固定部材５には、テーパ部材１６を配設しているので、蓋３を開けたとき、当該テーパ部材１６に電池１あるいは電池パック１３を滑り込ませることで、容易に筒固定部材５に電池１を挿入できる。
【図面の簡単な説明】
【００２７】
【図１】第１の実施態様に係る電池ケースの変則断面図である。
【図２】第１の実施態様に係る電池ケースの蓋を外した変則断面図である。
【図３】第１の実施態様に係る電池ケースに大きいサイズの２本の円筒形の電池を装着した変則断面図である。
【図４】第１の実施態様に係る電池ケースに小さいサイズの２本の円筒形の電池を装着した変則断面図である。
【図５】第１の実施態様に係る電池ケースに大きいサイズの電池パックを装着した変則断面図である。
【図６】第１の実施態様に係る電池ケースに小さいサイズの電池パックを装着した変則断面図である。
【図７】第２の実施態様に係る電極配置図を表したものである。
【図８】第３の実施態様に係る筒固定部材を表した変則断面図である。
【図９】第３の実施態様に係る筒固定部材を表した平面図である。
【図１０】特開平０４−２８２５５５に係る電池ケースを表したものである。
【符号の説明】
【００２８】
１‐電池
２‐電池ケース本体
３‐蓋
４−底
５‐筒固定部材
６‐電池ケースのプラス電極
７‐電池ケースのマイナス電極
８‐中間電極
９‐弾性部材
１０‐弾性部材
１１‐弾性部材
１２‐電気機器
１３‐電池パック
１４‐底の中心点
１５‐断面
１６‐テーパ部材
【図１】
2006196344.tif 000003
【図２】
2006196344.tif 000004
【図３】
2006196344.tif 000005
【図４】
2006196344.tif 000006
【図５】
2006196344.tif 000007
【図６】
2006196344.tif 000008
【図７】
2006196344.tif 000009
【図８】
2006196344.tif 000010
【図９】
2006196344.tif 000011
【図１０】
2006196344.tif 000012